(57)【要約】【課題】マーカーからの目測距離が長くても大きな目印となって良好な視認性が得られ、地面から取上げる時に手指などで掴み易いといった便利なゴルフボール用スタンドマーカーを提供する。【解決手段】第１マーカー５は、表裏両面に形成した浅底の窪み部に化粧用シール盤５ｂを液密に嵌込むことにより構成され、第２マーカー６は、それぞれの表裏両面に形成した浅底の窪み部に化粧用シール盤６ｂを液密に嵌込むことにより構成されている。フェアウェイでの使用時、第２マーカー６の外周縁部６Ｂを第１マーカー５の着磁部７上に吸着させて第２マーカー６を直立させる。第２マーカー６が目立ち易くなり、第２マーカー６からの目測距離が長くても第２マーカー６に対する良好な視認性が得られる。【選択図】図６
0003114631.tif 000002
【実用新案登録請求の範囲】
【請求項１】
内部に埋込まれた磁化体を有し、帽子に取外し可能に装着されるクリップと、
中心部に設けられた着磁部を有し、前記磁化体を介して前記クリップに吸着される円盤状の第１マーカーと、
磁性材により前記第１マーカーよりも径小に形成され、前記着磁部を介して前記第１マーカーに吸着される円盤状の第２マーカーとを備え、
フェアウェイでの使用時、前記第２マーカーの外周縁部を前記第１マーカーの前記着磁部上に吸着させて前記第２マーカーを直立させることを特徴とするゴルフボール用スタンドマーカー。
【請求項２】
内部に埋込まれた磁化体を有し、帽子に取外し可能に装着されるクリップと、
中心部に設けられた着磁部を有し、前記磁化体を介して前記クリップに吸着される円盤状の第１マーカーと、
磁性材により前記第１マーカーよりも径小に形成され、前記着磁部を介して前記第１マーカーに吸着される円盤状の第２マーカーとを備え、
前記第１マーカーおよび前記第２マーカーは、それぞれの表裏両面に形成した浅底の窪み部に非常磁性の化粧用シール盤を液密に嵌込むことにより構成され、
フェアウェイでの使用時、前記第２マーカーの外周縁部を前記第１マーカーの前記着磁部上に吸着させて前記第２マーカーを直立させることを特徴とするゴルフボール用スタンドマーカー。
【請求項３】
内部に埋込まれた磁化体を有し、帽子に取外し可能に装着されるクリップと、
中心部で表裏方向に磁極が指向する短円柱状の着磁部を有し、前記磁化体を介して前記クリップに吸着される円盤状の第１マーカーと、
磁性材により前記第１マーカーよりも径小に形成され、前記着磁部を介して前記第１マーカーに吸着される円盤状の第２マーカーとを備え、
前記第１マーカーおよび前記第２マーカーは、それぞれの表裏両面に形成した浅底の窪み部に非常磁性の化粧用シール盤を液密に嵌込むことにより構成され、
フェアウェイでの使用時、前記第２マーカーの外周縁部を前記第１マーカーの前記着磁部上に吸着させて前記第２マーカーを直立させることを特徴とするゴルフボール用スタンドマーカー。
【請求項４】
アルミニウム製の外殻内に埋込まれた磁化体を有し、帽子に取外し可能に装着されるクリップと、
中心部で表裏方向に磁極が指向する短円柱状の着磁部を有し、前記磁化体を介して前記クリップに吸着される円盤状の第１マーカーと、
磁性材により前記第１マーカーよりも径小に形成され、前記着磁部を介して前記第１マーカーに吸着される円盤状の第２マーカーとを備え、
前記第１マーカーおよび前記第２マーカーは、それぞれの表裏両面に形成した浅底の窪み部にアルミニウム製の化粧用シール盤を液密に嵌込むことにより構成され、
フェアウェイでの使用時、前記第２マーカーの外周縁部を前記第１マーカーの前記着磁部上に吸着させて前記第２マーカーを直立させることを特徴とするゴルフボール用スタンドマーカー。
【請求項５】
アルミニウム製の外殻内に埋込まれた磁化体を有し、帽子に取外し可能に装着されるクリップと、
所定の円周に沿って配列されて、表裏方向に磁極が指向する複数のピン状の着磁部を有し、前記磁化体を介して前記クリップに吸着される円盤状の第１マーカーと、
磁性材により前記第１マーカーよりも径小に形成されて、前記着磁部を介して前記第１マーカーに吸着される円盤状の第２マーカーとを備え、
前記第１マーカーおよび前記第２マーカーは、それぞれの表裏両面に形成した浅底の窪み部にアルミニウム製の化粧用シール盤を液密に嵌込むことにより構成され、
フェアウェイでの使用時、前記第２マーカーの外周縁部を前記第１マーカーの前記着磁部上に吸着させて前記第２マーカーを直立させることを特徴とするゴルフボール用スタンドマーカー。
【請求項６】
アルミニウム製の外殻内に埋込まれた磁化体を有し、帽子に取外し可能に装着されるクリップと、
中心部で十字状に配列されて、表裏方向に磁極が指向する複数のピン状の着磁部を有し、前記磁化体を介して前記クリップに吸着される円盤状の第１マーカーと、
磁性材により前記第１マーカーよりも径小に形成されて、前記着磁部を介して前記第１マーカーに吸着される円盤状の第２マーカーとを備え、
前記第１マーカーおよび前記第２マーカーは、それぞれの表裏両面に形成した浅底の窪み部にアルミニウム製の化粧用シール盤を液密に嵌込むことにより構成され、
フェアウェイでの使用時、前記第２マーカーの外周縁部を前記第１マーカーの前記着磁部上に吸着させて前記第２マーカーを直立させることを特徴とするゴルフボール用スタンドマーカー。
【請求項７】
アルミニウム製の外殻内に埋込まれた磁化体を有し、帽子に取外し可能に装着されるクリップと、
中心部から外周部に螺旋渦状に配列されて、表裏方向に磁極が指向する複数のピン状の着磁部を有し、前記磁化体を介して前記クリップに吸着される円盤状の第１マーカーと、  磁性材により前記第１マーカーよりも径小に形成されて、前記着磁部を介して前記第１マーカーに吸着される円盤状の第２マーカーとを備え、
前記第１マーカーおよび前記第２マーカーは、それぞれの表裏両面に形成した浅底の窪み部にアルミニウム製の化粧用シール盤を液密に嵌込むことにより構成され、
フェアウェイでの使用時、前記第２マーカーの外周縁部を前記第１マーカーの前記着磁部上に吸着させて前記第２マーカーを直立させることを特徴とするゴルフボール用スタンドマーカー。
【考案の詳細な説明】
【技術分野】
【０００１】
本考案は、フェアウェイでホールマークやボールの救済などを行う際に使用するゴルフボール用スタンドマーカーに係り、とりわけマーカーを直立させて使用できるように改良したゴルフボール用スタンドマーカーに関する。
【背景技術】
【０００２】
ゴルフ場のフェアウェイでは、旗を立てたホールとボールとの間を目測してホールマークを行ったり、救済などでボールをフェアウェイから一時的に取上げる際、ボールの位置の近傍にマーカーを置き、ボールを元の位置に戻す際の目安としている。
一般に、マーカーとしては、二枚の金属円盤を重ね合わせてポケットなどに保管しておき、使用時には、マーカーをポケットから出してフェアウェイに置いてボールの代わりに見立てたり、パタークラブのシャフトに見合った長さ間隔に設置して救済の用に供している。
【０００３】
この種のマーカーのなかには、パタークラブのシャフトにボールマーカーを着脱可能に設けたボールマーカー保持具がある（例えば、特許文献１参照）。このボールマーカーは、グリップの挿入孔に挿抜可能になった脚を有し全体的に断面略Ｔ字状に形成されている。
【特許文献１】特開２００２−２１００５２号公報
【考案の開示】
【考案が解決しようとする課題】
【０００４】
しかしながら、断面略Ｔ字状のボールマーカーでは、フェアウェイの地面に脚を刺し込む構成であるため、ボールマーカーがフェアウェイの地面に設置されると、芝は刈られているものの、ボールマーカーからの目測距離が長い場合は視認性が悪くなる。
また、ボールマーカーは円盤状で、その厚みが小さいため、ボールマーカーを地面から抜出す時、ボールマーカーを手指などで掴みにくいといった不都合がある。
【０００５】
本考案は、上記の事情を背景としてなされ、その目的はマーカーからの目測距離が長くても目立ち易くなって良好な視認性が得られ、地面から取上げる時に手指などで掴み易いといった便利なゴルフボール用スタンドマーカーを提供することにある。
【課題を解決するための手段】
【０００６】
（請求項１について）
クリップは、内部に埋込まれた磁化体を有し、帽子に取外し可能に装着される。円盤状の第１マーカーは、中心部に設けられた着磁部を有し、磁化体を介してクリップに吸着される。円盤状の第２マーカーは、磁性材により第１マーカーよりも径小に形成され、着磁部を介して第１マーカーに吸着される。フェアウェイでの使用時、第２マーカーの外周縁部を第１マーカーの着磁部上に吸着させて第２マーカーを直立させる。
【０００７】
第２マーカーを第１マーカーの着磁部上に吸着させて直立させているので、第２マーカーが目立ち易くなり、第２マーカーからの目測距離が長くても、第２マーカーに対する良好な視認性が得られる。第２マーカーが直立しているので、地面から取上げる時に第２マーカーを手指などで掴み易いといった利便性が得られる。
【０００８】
（請求項２について）
クリップは、内部に埋込まれた磁化体を有し、帽子に取外し可能に装着される。円盤状の第１マーカーは、中心部に設けられた着磁部を有し、磁化体を介してクリップに吸着される。円盤状の第２マーカーは、磁性材により第１マーカーよりも径小に形成され、着磁部を介して第１マーカーに吸着される。第１マーカーおよび第２マーカーは、それぞれの表裏両面に形成した浅底の窪み部に非常磁性の化粧用シール盤を液密に嵌込むことにより構成されている。フェアウェイでの使用時、第２マーカーの外周縁部を第１マーカーの着磁部上に吸着させて第２マーカーを直立させる。
【０００９】
第２マーカーに対する良好な視認性および掴み易さといった効果をはじめ、第１マーカーおよび第２マーカーは、化粧用シール盤を嵌込んでいるので、化粧用シール盤に様々な装飾模様や絵文字などを施すことができて、目印機能が補強されるとともに、使用者に美観や愛着感を与える効果を生じる。
【００１０】
（請求項３について）
クリップは、内部に埋込まれた磁化体を有し、帽子に取外し可能に装着される。円盤状の第１マーカーは、中心部で表裏方向に磁極が指向する短円柱状の着磁部を有し、磁化体を介してクリップに吸着される。円盤状の第２マーカーは、磁性材により第１マーカーよりも径小に形成され、着磁部を介して第１マーカーに吸着される。第１マーカーおよび第２マーカーは、それぞれの表裏両面に形成した浅底の窪み部に非常磁性の化粧用シール盤を液密に嵌込むことにより構成されている。フェアウェイでの使用時、第２マーカーの外周縁部を第１マーカーの着磁部上に吸着させて第２マーカーを直立させる。
【００１１】
第２マーカーに対する良好な視認性および掴み易さといった効果をはじめ、第１マーカーにおける着磁部の磁極を表裏方向に指向させているので、第２マーカーを第１マーカーの着磁部上に迅速かつ強い磁気力で直立させることができる。
【００１２】
（請求項４について）
クリップは、アルミニウム製の外殻内に埋込まれた磁化体を有し、帽子に取外し可能に装着される。円盤状の第１マーカーは、中心部で表裏方向に磁極が指向する短円柱状の着磁部を有し、磁化体を介してクリップに吸着される。円盤状の第２マーカーは、磁性材により第１マーカーよりも径小に形成され、着磁部を介して第１マーカーに吸着される。第１マーカーおよび第２マーカーは、それぞれの表裏両面に形成した浅底の窪み部にアルミニウム製の化粧用シール盤を液密に嵌込むことにより構成されている。フェアウェイでの使用時、第２マーカーの外周縁部を第１マーカーの着磁部上に吸着させて第２マーカーを直立させる。
【００１３】
第２マーカーに対する良好な視認性および掴み易さといった効果をはじめ、化粧用シール盤をアルミニウム製としたので、第１マーカーおよび第２マーカーが軽量で取扱い易くなるとともに、防錆効果により耐久性に優れる。
【００１４】
（請求項５について）
クリップは、アルミニウム製の外殻内に埋込まれた磁化体を有し、帽子に取外し可能に装着される。円盤状の第１マーカーは、所定の円周に沿って配列されて、表裏方向に磁極が指向する複数のピン状の着磁部を有し、磁化体を介してクリップに吸着される。円盤状の第２マーカーは、磁性材により第１マーカーよりも径小に形成されて、着磁部を介して第１マーカーに吸着される。第１マーカーおよび第２マーカーは、それぞれの表裏両面に形成した浅底の窪み部にアルミニウム製の化粧用シール盤を液密に嵌込むことにより構成されている。フェアウェイでの使用時、第２マーカーの外周縁部を第１マーカーの着磁部上に吸着させて第２マーカーを直立させる。
【００１５】
第２マーカーに対する良好な視認性および掴み易さといった効果をはじめ、複数のピン状の着磁部を所定の円周に沿って第１マーカーに配列しているので、第１マーカー上で第２マーカーを直立状態にセットできる領域が多くなる便宜がある。
【００１６】
（請求項６について）
クリップは、アルミニウム製の外殻内に埋込まれた磁化体を有し、帽子に取外し可能に装着される。円盤状の第１マーカーは、中心部で十字状に配列されて、表裏方向に磁極が指向する複数のピン状の着磁部を有し、磁化体を介してクリップに吸着される。円盤状の第２マーカーは、磁性材により第１マーカーよりも径小に形成されて、着磁部を介して第１マーカーに吸着される。第１マーカーおよび第２マーカーは、それぞれの表裏両面に形成した浅底の窪み部にアルミニウム製の化粧用シール盤を液密に嵌込むことにより構成されている。フェアウェイでの使用時、第２マーカーの外周縁部を第１マーカーの着磁部上に吸着させて第２マーカーを直立させる。
【００１７】
第２マーカーに対する良好な視認性および掴み易さといった効果をはじめ、複数の着磁部を第１マーカーに十字状に配列しているので、着磁部が縦列部と横列部を交差した形態となり、第２マーカーを着磁部の縦列部および横列部のうち一方に沿って選択的に直立させ得る自由度がある。
【００１８】
（請求項７について）
クリップは、アルミニウム製の外殻内に埋込まれた磁化体を有し、帽子に取外し可能に装着される。円盤状の第１マーカーは、中心部から外周部に螺旋渦状に配列されて、表裏方向に磁極が指向する複数のピン状の着磁部を有し、磁化体を介してクリップに吸着される。円盤状の第２マーカーは、磁性材により第１マーカーよりも径小に形成されて、着磁部を介して第１マーカーに吸着される。第１マーカーおよび第２マーカーは、それぞれの表裏両面に形成した浅底の窪み部にアルミニウム製の化粧用シール盤を液密に嵌込むことにより構成されている。フェアウェイでの使用時、第２マーカーの外周縁部を第１マーカーの着磁部上に吸着させて第２マーカーを直立させる。
【００１９】
第２マーカーに対する良好な視認性および掴み易さといった効果をはじめ、複数の着磁部を第１マーカーに螺旋渦状に配列しているので、第１マーカー上で第２マーカーを直立状態にセットできる領域が多くなる便宜がある。
【考案を実施するための最良の形態】
【００２０】
フェアウェイでの使用時、第２マーカーの外周縁部を第１マーカーの着磁部上に吸着させて第２マーカーを直立させるので、第２マーカーが目立ち易くなり、第２マーカーからの目測距離が長くても良好な視認性が得られる。第２マーカーが直立しているので、地面から取上げる時に第２マーカーを手指などで掴み易いといった利便性がある。
【実施例１】
【００２１】
本考案の実施例１を図１ないし図６に基づいて説明する。
本考案に係るゴルフボール用スタンドマーカー１は、図１および図２に示すように、内部に二個の磁化体２を磁石盤として設けた吸着部３を有するクリップ４、円盤状にそれぞれ形成された第１マーカー５および第２マーカー６を備えている。クリップ４は、帽子Ｈに取外し可能に装着されており、吸着部３には、楕円状に形成されたアルミニウム製の外殻３ａ内に磁化体２を液密に埋込み、装飾性および防錆性に優れた構造を実現している。  
【００２２】
第１マーカー５は、中心部で表裏方向に磁極が指向する短円柱状の着磁部７を有し、磁化体２を介してクリップ４の吸着部３に吸着される。第２マーカー６は、軟鋼などの磁性材により第１マーカー５よりも径小に形成され、磁化体２および着磁部７を介して第１マーカー５に吸着される。
【００２３】
第１マーカー５は、図３に示すように、基体５Ａの表裏両面に形成した浅底の窪み部５ａにアルミニウム製の化粧用シール盤５ｂ、５ｃを液密に嵌込むことにより構成されている。第２マーカー６は、図４に示すように、基体６Ａの表裏両面に形成した浅底の窪み部６ａにアルミニウム製の化粧用シール盤６ｂ、６ｃを液密に嵌込むことにより構成されている。
【００２４】
上記構成で、図５に示すように、ゴルフ場のフェアウェイでゴルフボール８に対する救済を行う際、第１マーカー５および第２マーカー６をクリップ４の吸着部３（図１および図２参照）から取外して、パタークラブ９をフェアウェイの地面に置き、第１マーカー５および第２マーカー６をシャフト１０の両端近傍で、その長さ間隔ｈに応じた位置にセットする。
また、図６に示すように、ゴルフ場のフェアウェイで旗１１を立てたホール１２とゴルフボール８との間の距離を目測してホールマークを行う際、第１マーカー５および第２マーカー６をクリップ４の吸着部３から取外した後、第２マーカー６の外周縁部６Ｂを第１マーカー５の着磁部７上に吸着させることにより第２マーカー６を直立させて使用する。  
【００２５】
フェアウェイでの使用時、第２マーカー６を第１マーカー５の着磁部７上に吸着させることにより直立させているので、第２マーカー６が目立ち易くなり、第２マーカー６からの目測距離が長くても、第２マーカー６に対する良好な視認性が得られる。また、第２マーカー６が直立しているので、地面から取上げる時に第２マーカー６を手指などで掴み易いといった利便性が得られる。
【実施例２】
【００２６】
図７の（ａ）は本考案の実施例２を示す。実施例２が実施例１と異なるところは、第１マーカー５の表裏方向に磁極が指向する複数のピン状の磁石柱部７ａにより着磁部７を構成したことである。
この場合、複数の磁石柱部７ａは、所定の円周に沿って第１マーカー５と略同心円状の配列状態になっている。このため、第２マーカー６を第１マーカー５上で直立状態にセットできる領域が多くなる便宜がある。
【実施例３】
【００２７】
図７の（ｂ）は本考案の実施例３を示す。実施例３が実施例２と異なるところは、第１マーカー５の中心部で、磁石柱部７ａを十字状に配列して着磁部７を構成したことである。
実施例３では、複数の磁石柱部７ａを十字状に配列しているため、着磁部７が縦列部７Ａと横列部７Ｂを交差した形態となり、第２マーカー６を着磁部７の縦列部７Ａもしくは横列部７Ｂのどちらかに沿って選択的に直立させ得る自由度がある。
【実施例４】
【００２８】
図７の（ｃ）は本考案の実施例４を示す。実施例４が実施例２と異なるところは、第１マーカー５の中心部から外周部に向かって磁石柱部７ａを螺旋渦状に配列して着磁部７を構成したことである。
実施例４では、複数の磁石柱部７ａを螺旋渦状に配列しているので、実施例２と同様に第１マーカー５上で第２マーカー６を直立状態にセットできる領域が多くなる便宜がある。
【００２９】
（変形例）
第１マーカー５の化粧用シール盤５ｂ、５ｃおよび第２マーカー６の化粧用シール盤６ｂ、６ｃは、アルミニウム製に限らず、薄肉の銅や真鍮などの金属やプラスチックシートであってもよい。第１マーカー５および第２マーカー６の形状は、円形に限らず、三角形、四角形、五角形、六角形、八角形、多角形あるいは楕円形などであってもよい。
【産業上の利用可能性】
【００３０】
本考案のゴルフボール用スタンドマーカーでは、フェアウェイでの使用時、第２マーカーの外周縁部を第１マーカーの着磁部上に吸着させて第２マーカーを直立させるので、第２マーカーが目立ち易くなり、第２マーカーからの目測距離が長くても良好な視認性が得られる。第２マーカーが直立しているので、フェアウェイの地面から取上げる際、第２マーカーを手指などで掴み易いといった利便性がある。このため、ゴルフボール用スタンドマーカーの利便性に着目し、需要を喚起して製造に必要な化学部品や機械部品の流通を介して化学・機械産業界に広く適用することができる。
【図面の簡単な説明】
【００３１】
【図１】ゴルフボール用スタンドマーカーを帽子に着用した例を示す斜視図である（実施例１）。
【図２】クリップ、第１マーカーおよび第２マーカーの分解斜視図である（実施例１）。
【図３】第１マーカーの分解斜視図である（実施例１）。
【図４】第２マーカーの分解斜視図である（実施例１）。
【図５】ゴルフボールの救済時、パタークラブに対して第１マーカーおよび第２マーカーをセットした状態を示す平面図である（実施例１）。
【図６】ホールマークを行う際、第１マーカー上に第２マーカーを直立させた状態を示す斜視図である（実施例１）。
【図７】（ａ）は第１マーカー上に第２マーカーを直立させた状態を示す斜視図（実施例２）、（ｂ）は第１マーカー上に第２マーカーを直立させた状態を示す斜視図（実施例３）、（ｃ）は第１マーカー上に第２マーカーを直立させた状態を示す斜視図である（実施例４）。
【符号の説明】
【００３２】
１    ゴルフボール用スタンドマーカー
２    磁化体
３    吸着部
３ａ  外殻
４    クリップ
５    第１マーカー
５ａ  窪み部
５ｂ、５ｃ  化粧用シール盤
６    第２マーカー
６Ｂ  第２マーカーの外周縁部
６ａ  窪み部
６ｂ、６ｃ  化粧用シール盤
７    着磁部
７Ａ  縦列部
７Ｂ  横列部
７ａ  磁石柱部
Ｈ    帽子
【図１】
0003114631.tif 000003
【図２】
0003114631.tif 000004
【図３】
0003114631.tif 000005
【図４】
0003114631.tif 000006
【図５】
0003114631.tif 000007
【図６】
0003114631.tif 000008
【図７】
0003114631.tif 000009